(57)【要約】      （修正有）【課題】雨を貯水して水遣りをする必要のないタンク付き底潅水植木鉢を提供する。【解決手段】栽培容器１やタンク３をポリプロピレンや陶器で不透明に形成し栽培容器１の底の高台部９を、タンク３のはめ込み穴８に固定するタンク３付き底潅水植木鉢である。栽培容器１の底に吸水紐通し穴を開け、マイクロクロスＡの吸水紐４を固定し、その底の高台部９をタンク３のはめ込み穴８に固定して、栽培容器１の高台部９がタンク３の水５に接触しないように、底の水抜き穴Ｆからタンク３に流し貯水する。吸水紐４は品種により容器の大きさや深さに合わせて直径１ｃｍ−２ｃｍの円柱とし、長さはタンク３の深さと同じ１０ｃｍ−１５ｃｍ以下とする。【選択図】図１
0003210098.tif 000002
【実用新案登録請求の範囲】
【請求項１】
培養土が入っている栽培容器と培養土の下にあり、水が入っているタンクとマイクロクロスを結束した１ｃｍ−２ｃｍ径の円柱部と、結束されていない吸水紐頭部を有し、最場容器の底に設ける貫き穴を吸水紐通し穴として吸水紐頭部を上から通し、この吸水紐頭部を覆う形で遮根透水シートを敷き、その上に培養土を入れ、吸水紐頭部は胴部に対し直交的に５ｃｍの平板、５ｍｍの傘状のマイクロクロスの生地に、胴部を複数の花びら状に広げ保水増副片にとして結合敷設し、吸水紐胴部の下端はタンクに浸し底潅水でタンクの水を吸水紐頭部に吸い上げ、栽培容器の高台部が水に触れないようにはめ込み穴に固定して栽培容器を持ち上げてタンクに給水を行い、注水穴からも補給でき、タンクに溜まる大量の雨や上潅水の水を栽培に利用することを特徴とするタンク付き底潅水植木鉢。
【請求項２】
請求項１に記載の培養土であって、多品種に適するように小粒の赤玉土、５ｍｍ程度の軽石、完熟腐葉土を混合し、潅水することで標準培養土として飽和液相を３０％とし、気相４５％以上とするが栽培においては適正があり、液相を調整して適合させる場合もありうることを特徴とする培養土。
【請求項３】
請求項１に記載の吸水紐であってマイクロクロスを円柱状に結束して外周を締め上げ胴体部とし、最上部を結束されていない頭部とし、その最上部を縦に十文字に切断し花びら状に広げ、保水増副片とするマイクロクロスの布頭部の中央に直行的に結合し、傘状として栽培容器の底に固定し、胴部を自己融着テープを巻いて形成し、直径２ｃｍにおいては１５ｃｍ以下とし、直径１ｃｍでは１０ｃｍ以下とすることを特徴とする吸水紐。
【請求項４】
請求項１に記載の栽培容器であって、底の中央に吸水紐の胴体を吊り下げ固定する吸水紐穴を開けるとともに、別の個所に水抜き穴が開いていて、大きいお椀状に形成して、底の高台部をタンクの、はめ込み穴に固定して、高台部がタンク水に浸らないように使用し、固定する給水紐穴の個数は２０ｃｍ平方に１個程度であり底の大きさに比例して増やすことを特徴とする栽培容器。
【請求項５】
請求項１に記載のタンクであって、不透明で、ポリプロピレンによって水入り物干しのベース状とし上部に栽培容器の底を受け入れるはめ込み穴が開いていて雨や上潅水の水を貯水し、別に水補給のための注水穴をタンクの下に設けることを特徴とするタンク。
【請求項６】
請求項１に記載の遮根透水シートであって、吸水紐頭部の上を覆うように被せて栽培容器の底全体に敷き、雨や潅水する水は遮根透水シートを抜けてタンクに落ち、吸水紐頭部の水は培養土に移動でき、根は培養土内に遮断することを特徴とする遮根透水シート。
【考案の詳細な説明】
【背景分野】
【０００１】  本考案は鉢植え栽培において、雨を貯水して水遣りをする必要のない植木鉢である。
【背景技術】
【０００２】  底潅水栽培はドイツのプレイモービル社のレチューザーと命名された底潅水商品が売り出されているが、これは観葉植物栽培専用でありでありクレイと命名された吸水性の低いゼロライトによって水を吸い上げて栽培する。日本においてもアップルというメーカーの野菜専用とする。又、出願本人の特願２０１６−２３０６４５であるが栽培容器底から根が伸びてタンクの水に浸透し根腐れが発生することがある。
【考案の概要】
【考案が解決しようとする課題】
【０００３】底潅水鉢植え栽培において地植えのように雨だけで水遣り要らずの省力的な花や盆栽の植木鉢を行う。その主なる問題は過湿であり、常に水を培養土に含ませて栽培する底潅水では、うまく育てにくい。
【考案を解決するための手段】
【０００４】上記の課題を克服して底潅水栽培を行うために培養土を小粒の赤玉土、完熟腐葉土、５ｍｍ程度の軽石を混合して、標準培養土の液相を３０％にし、気相は常に４５％以上として栽培容器の下にタンクを置きマイクロクロスの吸水紐の底潅水で水を吸い上げ、容器が浅いと下に置くタンクに根毛が伸びて根腐れになるため、栽培容器の底に遮根透水シートを敷き根を栽培容器内部の培養土内に遮断して雨や上潅水の水は遮根透水シートを抜けて栽培容器の底からタンクに落としてタンクに溜め吸水紐で再度、底潅水で吸い上げて栽培を行うことを特徴とするタンク付き底潅水植木鉢である。
【考案の効果】
【０００５】この底潅水栽培システムによって、屋外に置いてタンクに降る雨をタンクに貯め、底潅水をすることで多品種の栽培において水遣りが要らない栽培が可能となる。また培養土は３０％の液相で４５％以上の気相とすることで多品種の栽培が可能である。タンクにははめ込み穴を開けて栽培容器の底を固定するので栽培容器を持ち上げてはめ込み穴から水分量を確認し補給を行い、栽培容器の底に遮根透水シートを敷いて根がタンクに伸びることを防ぎ、雨や上潅水で溜まる水を再び吸い上げて栽培に使用する。
【考案を実施するための形態】
【０００６】本考案の実施形態について図面を参照して説明する。図１は本考案の実施例における正面透視図であり、栽培容器（１）やタンク（３）をポリプロピレンや陶器で不透明に形成し栽培容器（１）の底の高台部（９）を、タンク（３）のはめ込み穴（８）に固定するタンク（３）付き底潅水植木鉢である。１栽培容器（１）の底に吸水紐通し穴（Ｄ）を開け、マイクロクロス（Ａ）の吸水紐（４）を固定し、その底の高台部（９）をタンク（３）のはめ込み穴（８）に固定して底が浸かると根腐れになるので栽培容器（１）の高台部（９）が３タンク（３）の水（５）に接触しないように底の水抜き穴（Ｆ）からタンク（３）に流し貯水する。吸水紐（４）は品種により容器の大きさや深さに合わせて直径１ｃｍ−２ｃｍの円柱とし、長さはタンク（３）の深さと同じ１０ｃｍ−１５ｃｍ以下とする。初期にたっぷりと潅水して栽培するが吸水紐頭部（Ｂ）は開いた花のように円形であり平面として栽培容器（１）に固定し、胴長の吸水紐胴部（Ｃ）をタンク（３）に降ろす。吸水紐頭部（Ｂ）を覆うように底に敷く遮根透水シート（６）によってタンク（３）からの水（５）は吸水紐頭部（Ｂ）から培養土（２）に移動し、根は１栽培容器（１）内部に遮断され培養土（２）の飽和以上の水（５）はタンク（３）に落ちて溜まる。下に置くタンク（３）の深さも１０ｃｍ−１５ｃｍ以下であり、タンク（３）底に溜まる水（５）を全て吸い上げるが固定する給水紐通し穴（Ｄ）の個数は底面積２０ｃｍ平方に２ｃｍの吸水紐（４）１個程度であり底の大きさに比例して増やし、吸水紐（４）は、吸水紐胴部（Ｃ）を水に強い自己融着テープ（Ｅ）を巻き付け、タンク（３）はポリプロピレンの水入り物干し台のベース形状とし、栽培容器（１）の９高台部（９）がタンク（３）の水に触れないように１栽培容器（１）を持ち上げて水分量を確認し図１のように注水穴（７）から補給もできる。
【図面の簡単な説明】
【０００７】
【図１】図１は本考案の実施例を示すタンク付き底潅水植木鉢の斜視図である。
【図２】図２は本考案の一部である吸水紐の斜視図である。
【符合の説明】
【０００８】１  栽培容器、２  混合培養土（２）  ３  タンク  ４  給水紐  ５  水
６  遮根透水シート  ７  注水穴  ８  はめ込み穴  ９  高台部
Ａ  マイクロクロス  Ｂ  給水紐頭部  Ｃ  給水紐胴部  Ｄ  吸水紐通し穴
Ｅ  自己融着テープ  Ｆ  水抜き穴。
【図１】
0003210098.tif 000003
【図２】
0003210098.tif 000004